(57)【要約】【課題】貯水量を増大させることが可能となる、貯水システムを提供すること。【解決手段】貯水システム１は、地中に埋設された複数の貯水部２０であって、複数の貯水部２０の少なくとも一部が他の貯水部２０に対して異なる高さ位置に配置された複数の貯水部２０と、複数の貯水部２０の少なくとも一部に貯められた雨水Ｒを遮水することにより、複数の貯水部２０の少なくとも一部の上方において貯水を可能とする遮水部３０とを備え、遮水量が所定量未満である場合には、遮水部３０によって遮水された雨水Ｒを当該遮水部３０よりも下方に位置する貯水部２０に向けて流出させず、遮水量が所定量以上に達した場合には、遮水部３０によって遮水された雨水Ｒを当該遮水部３０よりも下方に位置する貯水部２０に向けて流出させるように、複数の貯水部２０及び遮水部３０を構成した。【選択図】図２
2020045622.tif 000002
【特許請求の範囲】
【請求項１】
雨水を一時的に貯水するための貯水システムであって、
地中に埋設された複数の貯水手段であって、当該複数の貯水手段の少なくとも一部が他の貯水手段に対して異なる高さ位置に配置された複数の貯水手段と、
前記複数の貯水手段の少なくとも一部に貯められた前記雨水を遮水することにより、当該複数の貯水手段の少なくとも一部の上方において貯水を可能とする遮水手段と、を備え、
前記遮水手段にて遮水される水量である遮水量が所定量未満である場合には、前記遮水手段によって遮水された前記雨水を当該遮水手段よりも下方に位置する前記貯水手段に向けて流出させず、前記遮水量が所定量以上に達した場合には、前記遮水手段によって遮水された前記雨水を当該遮水手段よりも下方に位置する前記貯水手段に向けて流出させるように、前記複数の貯水手段及び前記遮水手段を構成した、
貯水システム。
【請求項２】
前記複数の貯水手段の各々は、
貯水機能を有する貯水手段本体と、
前記貯水手段本体の周囲の少なくとも一部を覆うように設けられた保持手段であって、透水性を有し、且つ前記貯水手段本体の状態を保持することが可能な保持手段と、を備える、
請求項１に記載の貯水システム。
【請求項３】
前記保持手段を、金属製のメッシュ材で形成した、
請求項２に記載の貯水システム。
【請求項４】
前記保持手段を、コンクリート材料で形成した、
請求項２に記載の貯水システム。
【請求項５】
前記保持手段を、外部に露出しないように構成した、
請求項２から４のいずれか一項に記載の貯水システム。
【請求項６】
前記複数の貯水手段の少なくとも一部にて貯められた前記雨水を地中に透過させることができるように、前記複数の貯水手段を構成した、
請求項１から５のいずれか一項に記載の貯水システム。
【請求項７】
前記複数の貯水手段の少なくとも一部にて貯められた前記雨水を地中に透過させることができないように、前記複数の貯水手段を構成し、
前記複数の貯水手段の少なくとも一部に設けられた送水管であって、当該複数の貯水手段の少なくとも一部に貯められた前記雨水を所定領域に送るための送水管を備えた、
請求項１から５のいずれか一項に記載の貯水システム。
【発明の詳細な説明】
【技術分野】
【０００１】
本発明は、貯水システムに関する。
【背景技術】
【０００２】
従来、雨水を一時的に貯水する技術の一つとして、雨水を浸透水浄化地盤に一時的に貯水し、浸透水浄化地盤において浄化された雨水を所定領域（例えば、地中又は集水枡）へと送水する技術が提案されている（例えば、特許文献１参照）。また、このような技術においては、浸透水浄化地盤を複数並設することにより、貯水量の増大を図ることができる。
【先行技術文献】
【特許文献】
【０００３】
【特許文献１】特開２０１２−１８３４９４号公報
【発明の概要】
【発明が解決しようとする課題】
【０００４】
ここで、上記従来の技術においては、上述したように、浸透水浄化地盤を複数並設することにより、貯水量を増大させることができるものの、貯水量を更に増大させたいとのニーズが高まっていることから、更なる改善が必要とされていた。
【０００５】
本発明は、上記に鑑みてなされたものであって、貯水量を増大させることが可能となる、貯水システムを提供することを目的とする。
【課題を解決するための手段】
【０００６】
上述した課題を解決し、目的を達成するために、請求項１に記載の貯水システムは、雨水を一時的に貯水するための貯水システムであって、地中に埋設された複数の貯水手段であって、当該複数の貯水手段の少なくとも一部が他の貯水手段に対して異なる高さ位置に配置された複数の貯水手段と、前記複数の貯水手段の少なくとも一部に貯められた前記雨水を遮水することにより、当該複数の貯水手段の少なくとも一部の上方において貯水を可能とする遮水手段と、を備え、前記遮水手段にて遮水される水量である遮水量が所定量未満である場合には、前記遮水手段によって遮水された前記雨水を当該遮水手段よりも下方に位置する前記貯水手段に向けて流出させず、前記遮水量が所定量以上に達した場合には、前記遮水手段によって遮水された前記雨水を当該遮水手段よりも下方に位置する前記貯水手段に向けて流出させるように、前記複数の貯水手段及び前記遮水手段を構成した。
【０００７】
請求項２に記載の貯水システムは、請求項１に記載の貯水システムにおいて、前記複数の貯水手段の各々は、貯水機能を有する貯水手段本体と、前記貯水手段本体の周囲の少なくとも一部を覆うように設けられた保持手段であって、透水性を有し、且つ前記貯水手段本体の状態を保持することが可能な保持手段と、を備える。
【０００８】
請求項３に記載の貯水システムは、請求項２に記載の貯水システムにおいて、前記保持手段を、金属製のメッシュ材で形成した。
【０００９】
請求項４に記載の貯水システムは、請求項２に記載の貯水システムにおいて、前記保持手段を、コンクリート材料で形成した。
【００１０】
請求項５に記載の貯水システムは、請求項２から４のいずれか一項に記載の貯水システムにおいて、前記保持手段を、外部に露出しないように構成した。
【００１１】
請求項６に記載の貯水システムは、請求項１から５のいずれか一項に記載の貯水システムにおいて、前記複数の貯水手段の少なくとも一部にて貯められた前記雨水を地中に透過させることができるように、前記複数の貯水手段を構成した。
【００１２】
請求項７に記載の貯水システムは、請求項１から５のいずれか一項に記載の貯水システムにおいて、前記複数の貯水手段の少なくとも一部にて貯められた前記雨水を地中に透過させることができないように、前記複数の貯水手段を構成し、前記複数の貯水手段の少なくとも一部に設けられた送水管であって、当該複数の貯水手段の少なくとも一部に貯められた前記雨水を所定領域に送るための送水管を備えた。
【発明の効果】
【００１３】
請求項１に記載の貯水システムによれば、地中に埋設された複数の貯水手段であって、当該複数の貯水手段の少なくとも一部が他の貯水手段に対して異なる高さ位置に配置された複数の貯水手段と、複数の貯水手段の少なくとも一部に貯められた雨水を遮水することにより、当該複数の貯水手段の少なくとも一部の上方において貯水を可能とする遮水手段と、を備え、遮水量が所定量未満である場合には、遮水手段によって遮水された雨水を当該遮水手段よりも下方に位置する貯水手段に向けて流出させず、遮水量が所定量以上に達した場合には、遮水手段によって遮水された雨水を当該遮水手段よりも下方に位置する貯水手段に向けて流出させるように、複数の貯水手段及び遮水手段を構成したので、複数の貯水手段によって雨水を貯めることができることに加えて、遮水手段によって遮水された雨水も貯めることができ、従来技術（透水浄化地盤を単に複数設けた技術）に比べて、貯水システムの貯水量を増大させることが可能となる。また、遮水手段によって遮水された雨水の一部を外部から視認でき、貯水システムの貯水状況を把握しやすくなる。
【００１４】
請求項２に記載の貯水システムによれば、複数の貯水手段の各々が、貯水機能を有する貯水手段本体と、貯水手段本体の周囲の少なくとも一部を覆うように設けられた保持手段であって、透水性を有し、且つ貯水手段本体の状態を保持することが可能な保持手段と、を備えるので、例えば、貯水手段の施工中において保持手段を貯水手段本体よりも先行して設置することにより、保持手段にて土圧を支持でき、周辺地盤の変位を抑止できる。よって、貯水手段本体の設置スペースを確保しやすくなることから、貯水手段周辺での山留の設置を省略できると共に、貯水手段において所望の貯水量を確保しやすくなる。また、貯水手段の施工後においても保持手段による土圧の支持を維持でき、貯水手段本体の状態を保持できることから、貯水手段の耐久性を向上できる。
【００１５】
請求項３に記載の貯水システムによれば、保持手段を金属製のメッシュ材で形成したので、保持手段を比較的安価に製造でき、貯水手段の製造性を向上できる。また、保持手段の軽量化を図ることができ、貯水手段の施工時における保持手段の取り扱いが容易となる。
【００１６】
請求項４に記載の貯水システムによれば、保持手段をコンクリート材料で形成したので、保持手段を比較的強固に形成でき、貯水手段の耐久性を一層向上できる。
【００１７】
請求項５に記載の貯水システムによれば、保持手段を外部に露出しないように構成したので、保持手段が目立つことを回避でき、貯水手段の意匠性を維持できる。
【００１８】
請求項６に記載の貯水システムによれば、複数の貯水手段の少なくとも一部にて貯められた雨水を地中に透過させることができるように、複数の貯水手段を構成したので、複数の貯水手段の少なくとも一部にて貯められた雨水を地中に透過させることができ、例えば豪雨時のピークカットを効果的に行うことが可能となる。
【００１９】
請求項７に記載の貯水システムによれば、複数の貯水手段の少なくとも一部にて貯められた雨水を地中に透過させることができないように、複数の貯水手段を構成し、複数の貯水手段の少なくとも一部に設けられた送水管であって、当該複数の貯水手段の少なくとも一部に貯められた雨水を所定領域に送るための送水管を備えたので、複数の貯水手段の少なくとも一部にて貯められた雨水を送水管を介して所定領域に効率的に送ることができ、例えば所定領域において雨水の利用を図ることができる。
【図面の簡単な説明】
【００２０】
【図１】本発明の実施の形態１に係る貯水システムを示す概要図である（一部断面図で示す）。
【図２】図１のＡ−Ａ矢視断面図である（一部図示省略）。
【図３】図１のＢ−Ｂ矢視断面図である（一部図示省略）。
【図４】保持部を示す斜視図である。
【図５】実施の形態２に係る貯水システムを示す図であって、図３に対応する領域を示す図である（一部図示省略）。
【図６】実施の形態１に係る貯水システムの変形例を示す図であって、図２に対応する領域を示す図である。
【図７】実施の形態１に係る貯水部の変形例を示す図であって、図３に対応する領域を示す図である。
【図８】実施の形態２に係る貯水部の変形例を示す図であって、図３に対応する領域を示す図である。
【図９】実施の形態２に係る保持部の変形例を示す斜視図である。
【図１０】実施の形態１に係る貯水システムの変形例を示す図であって、図２に対応する領域を示す図である。
【発明を実施するための形態】
【００２１】
以下に添付図面を参照して、この発明に係る貯水システムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、雨水を一時的に貯水するための貯水システムに関する。ここで、「雨水」とは、降雨、雪、みぞれ等の自然現象によって発生した水を意味する。また、「貯水」とは、水を貯めることを意味し、貯める期間や量は限定されない。また、貯水システムの適用対象については任意であるが、例えば、各種の施設（一例として、住宅地、商業施設、工場施設、公共施設（道路、調整池等））の近傍に設けられる緑地帯や休耕地等を含む概念であるが、実施の形態では、道路（例えば、車道、歩道等）の近傍に設けられる緑地帯として説明する。
【００２３】
〔ＩＩ〕実施の形態の具体的内容
次に、実施の形態の具体的内容について説明する。
【００２４】
〔実施の形態１〕
まず、実施の形態１に係る貯水システムについて説明する。この実施の形態１は、後述する保持部を金属製のメッシュ材で形成した形態である。
【００２５】
（構成−設置場所）
最初に、実施の形態１に係る貯水システムが設置される設置場所の構成について説明する。図１は、本発明の実施の形態１に係る貯水システムを示す概要図である（一部断面図で示す）。ここで、図１のＸ方向を貯水システムの左右方向又は幅方向（−Ｘ方向を貯水システムの左方向、＋Ｘ方向を貯水システムの右方向）、図１のＹ方向を貯水システムの前後方向（＋Ｙ方向を貯水システムの前方向、−Ｙ方向を貯水システムの後方向）、図１のＺ方向を貯水システムの上下方向（＋Ｚ方向を貯水システムの上方向、−Ｚ方向を貯水システムの下方向）と称する。
【００２６】
図１に示すように、実施の形態１に係る貯水システム１が設置される地盤１０は、前後方向に傾斜した傾斜地盤（図１では、後方側から前方側に至るにつれて下方に至るように傾斜した傾斜地盤）であり、この地盤１０の領域は、概略的に、第１道路領域１１、第２道路領域１２、及び貯水領域１３に区分されている。
【００２７】
（構成−設置場所−第１道路領域、第２道路領域）
第１道路領域１１及び第２道路領域１２は、道路１１ａ（具体的には、道路１１ａの舗装部）が設置される領域であり、図１に示すように、相互に間隔を隔てて左右方向に沿って並設して位置している。
【００２８】
（構成−設置場所−貯水領域）
貯水領域１３は、貯水システム１が設置される領域である。この貯水領域１３は、図１に示すように、前後方向に長尺な領域であり、第１道路領域１１と第２道路領域１２との相互間に位置している。また、この貯水領域１３は、第１貯水領域１３ａ、第２貯水領域１３ｂ、第３貯水領域１３ｃ、及び第４貯水領域１３ｄにさらに区分されており、これら第１貯水領域１３ａ、第２貯水領域１３ｂ、第３貯水領域１３ｃ、及び第４貯水領域１３ｄは、後方から前方に向けて第１貯水領域１３ａから第４貯水領域１３ｄの順に並設して位置している。
【００２９】
（構成−貯水システム）
次に、実施の形態１に係る貯水システム１の構成について説明する。図２は、図１のＡ−Ａ矢視断面図である（一部図示省略）。図３は、図１のＢ−Ｂ矢視断面図である（一部図示省略）。貯水システム１は、地盤１０の地表にある雨水Ｒを一時的に貯水するためのシステムであり、図１、図２に示すように、第１貯水部２０ａ、第２貯水部２０ｂ、第３貯水部２０ｃ、第４貯水部２０ｄ、遮水部３０、及び縁石部４０を備えている。なお、第１貯水部２０ａから第４貯水部２０ｄを特に区別する必要のないときは、単に「貯水部２０」と総称する。
【００３０】
（構成−貯水システム−第１貯水部、第２貯水部、第３貯水部、第４貯水部）
図１に戻り、まず、第１貯水部２０ａ、第２貯水部２０ｂ、第３貯水部２０ｃ、及び第４貯水部２０ｄについて説明する。第１貯水部２０ａ、第２貯水部２０ｂ、第３貯水部２０ｃ、及び第４貯水部２０ｄは、地盤１０の地表（又は地中）に溜まった雨水Ｒを貯水するための貯水手段である。これら第１貯水部２０ａ、第２貯水部２０ｂ、第３貯水部２０ｃ、及び第４貯水部２０ｄは、貯水領域１３の地中に埋設されていると共に、当該第１貯水部２０ａ、第２貯水部２０ｂ、第３貯水部２０ｃ、及び第４貯水部２０ｄの各々が他の貯水部に対して異なる高さ位置に配置されている。具体的には、図１、図２に示すように、第１貯水部２０ａは第１貯水領域１３ａに埋設され、第２貯水部２０ｂは第２貯水領域１３ｂに埋設され、第３貯水部２０ｃは第３貯水領域１３ｃに埋設され、第４貯水部２０ｄは第４貯水領域１３ｄに埋設されている。
【００３１】
また、図１から図３に示すように、これら第１貯水部２０ａ、第２貯水部２０ｂ、第３貯水部２０ｃ、及び第４貯水部２０ｄの各々は、貯水部本体２１及び保持部２５を備えている。なお、これら第１貯水部２０ａ、第２貯水部２０ｂ、第３貯水部２０ｃ、及び第４貯水部２０ｄの構成はそれぞれ略同一であるので、以下では、第１貯水部２０ａの貯水部本体２１及び保持部２２の構成のみについて説明する。
【００３２】
（構成−貯水システム−第１貯水部、第２貯水部、第３貯水部、第４貯水部−貯水部本体）
図２に戻り、貯水部本体２１は、貯水機能を有する貯水手段本体である。この貯水部本体２１は、第１貯水領域１３ａに埋設されており、具体的には、図２、図３に示すように、第１貯水領域１３ａを掘削して形成された凹部１４の内部に収容されている。ここで、凹部１４の具体的な形状及び大きさについては、実施の形態１では以下の通りに設定している。すなわち、凹部１４のＸ−Ｚ平面に沿った断面形状については、矩形状に設定している。また、凹部１４の左右方向の長さについては、第１貯水領域１３ａの左右方向の長さと略同一に設定しており、凹部１４の前後方向の長さについては、第１貯水領域１３ａの前後方向の長さと略同一に設定しており、凹部１４の上下方向の長さについては、第１貯水領域１３ａの難透水層１０ａの上下方向の長さと略同一に設定している。なお、「難透水層１０ａ」とは、粘性土や固結岩盤等によって形成され、透水層１０ｂに比べて透水性が劣る地層を意味する。また、「透水層１０ｂ」とは、難透水層１０ａよりも下方に位置しており、地下水によって飽和している地層を意味する。
【００３３】
また、この貯水部本体２１は、例えば公知の透水性を有する貯水槽（一例として、植栽可能な貯水槽）等を用いて構成されており、図２、図３に示すように、下部層２１ａ、中間層２１ｂ、上部層２１ｃ、及び植物保護材２１ｄを備えている。
【００３４】
（構成−貯水システム−第１貯水部、第２貯水部、第３貯水部、第４貯水部−貯水部本体−下部層）
下部層２１ａは、貯水部本体２１を構成する土粒子層のうち最下方に位置する土粒子層である。この下部層２１ａは、所定の径を有する砂利、礫、又はぐり石等を用いて構成されており、図２、図３に示すように、凹部１４の内部の下方側に敷設されている。
【００３５】
（構成−貯水システム−第１貯水部、第２貯水部、第３貯水部、第４貯水部−貯水部本体−中間層）
中間層２１ｂは、貯水部本体２１を構成する土粒子層のうち下部層２１ａよりも上方に位置する土粒子層である。この中間層２１ｂは、例えば下部層２１ａの砂利等の径よりも大きい径を有する砂、砂利、又は浄化土壌を用いて構成されており、凹部１４の内部において下部層２１ａよりも上方に敷設されている。具体的には、図２、図３に示すように、砂からなる砂層２１ｂ１が下部層２１ａの上方に敷設されていると共に、砂、砂利、及び浄化土壌を混合した混合層２１ｂ２が砂層２１ｂ１の上方に敷設されている。ここで、「浄化土壌」とは、水に含まれる不純物や汚濁物質を取り除くことが可能な土壌あるいは多孔質物質であり、例えば、汚濁物質を分解できる微生物を含む土壌や吸着性に優れた多孔質な担体等が該当する。
【００３６】
（構成−貯水システム−第１貯水部、第２貯水部、第３貯水部、第４貯水部−貯水部本体−上部層）
上部層２１ｃは、貯水部本体２１を構成する土粒子層のうち最上方に位置する土粒子層であると共に、第１貯水領域１３ａの地表にある水に含まれる汚濁（例えば、植物やゴミ等）を中間層２１ｂに流入することを抑制するための土粒子層である。この上部層２１ｃは、例えば中間層２１ｂの砂等の径よりも大きい径を有する土壌であって、植物Ｐが植栽可能な土壌（一例として、礫等を含む自然土壌等）又は砂利を用いて構成されており、図２、図３に示すように、凹部１４の内部において中間層２１ｂよりも上方に敷設されている（具体的には、上部層２１ｃの上面が第１道路領域１１（又は第２道路領域１２）の地表よりも下方に位置するように敷設されている）。
【００３７】
（構成−貯水システム−第１貯水部、第２貯水部、第３貯水部、第４貯水部−貯水部本体−植物保護材）
植物保護材２１ｄは、上部層２１ｃに植栽された植物Ｐを保護するための保護手段である。この植物保護材２１ｄは、例えば、公知の植物保護材（一例として、メッシュ状の植物保護材）等を用いて構成されており、図２、図３に示すように、上部層２１ｃの上面に敷設されている。
【００３８】
（構成−貯水システム−第１貯水部、第２貯水部、第３貯水部、第４貯水部−保持部）
図４は、保持部２２を示す斜視図である。図２に戻り、保持部２２は、透水性を有し、且つ貯水部本体２１の状態を保持することが可能な保持手段であり、図２、図４に示すように、保持部本体２２ａ及び補強部２２ｂを備えている。
【００３９】
（構成−貯水システム−第１貯水部、第２貯水部、第３貯水部、第４貯水部−保持部−保持部本体）
保持部本体２２ａは、保持部２２の基本構造体である。この保持部本体２２ａは、図２、図４に示すように、上面及び前面が開放された箱状体（具体的には、平面形状が長方形状である箱状体）にて形成されており、貯水部本体２１の周囲の少なくとも一部を覆うように設けられている（具体的には、貯水部本体２１の上面及び前面以外の側面を覆うように設けられている）。
【００４０】
また、保持部本体２２ａの具体的な構成については任意であるが、実施の形態１では、保持部本体２２ａが外部に露出しないように構成されている（なお、補強部２２ｂの構成についても同様とする）。具体的には、保持部本体２２ａの左右方向の長さについては、貯水部本体２１の左右方向の長さと略同一に設定しており、保持部本体２２ａの前後方向の長さについては、貯水部本体２１の前後方向の長さと略同一に設定しており、保持部本体２２ａの上下方向の長さについては、貯水部本体２１の上下方向の長さよりも若干短く設定している。また、保持部本体２２ａの設置方法については、保持部本体２２ａの内部に貯水部本体２１（具体的には、下部層２１ａ、中間層２１ｂ、及び上部層２１ｃ）を収容しながら、保持部本体２２ａの上端部が貯水部本体２１の上端部よりも若干下方に位置するように設置している。このような構成により、保持部２２が目立つことを回避でき、第１貯水部２０ａの意匠性を維持できる。
【００４１】
また、保持部２２の材質については任意であるが、実施の形態１では、金属製のメッシュ材（例えば鋼製のメッシュ材）で形成している。この場合において、メッシュ材の具体的な構成については任意であるが、実施の形態１では、以下の通りに設定している。すなわち、メッシュ材の網目の大きさについては、貯水部本体２１の下部層２１ａを構成する砂利等の径よりも小さく設定している。また、メッシュ材の線径については、保持部２２が所望の耐荷力を得ることが可能な長さに設定している（なお、補強部２２ｂの線径についても同様とする）。このような材質により、保持部２２を比較的安価に製造でき、貯水部２０の製造性を向上できる。また、保持部２２の軽量化を図ることができ、貯水部２０の施工時における保持部２２の取り扱いが容易となる。
【００４２】
（構成−貯水システム−第１貯水部、第２貯水部、第３貯水部、第４貯水部−保持部−補強部）
補強部２２ｂは、保持部本体２２ａを補強するための補強手段である。この補強部２２ｂは、例えば複数の鋼線が組み合わせて構成された長尺な梁材であり、図２、図４に示すように、保持部本体２２ａの内部において、補強部２２ｂの長手方向が左右方向に沿うように設けられていると共に、相互に間隔を隔てて前後方向に沿って複数並設されており（具体的には、２つ並設されており）、保持部本体２２ａに対して固定具又は溶接等によって接続されている。
【００４３】
また、保持部２２の形成方法については任意であるが、例えば、現場において、工場等であらかじめ一体形成された板状の保持部本体２２ａを箱状体に組み立て後に、当該組み立てた保持部本体２２ａに補強部２２ｂを取り付けることにより、形成してもよい。あるいは、工場又は現場において、分割して構成された保持部本体２２ａを箱状体に組み立て後に、補強部２２ｂを取り付けることにより、形成してもよい。
【００４４】
このような保持部２２により、貯水部２０の施工中において保持部２２を貯水部本体２１よりも先行して設置することにより、保持部２２にて土圧を支持でき、周辺地盤の変位を抑止できる。よって、貯水部本体２１の設置スペースを確保しやすくなることから、貯水部２０周辺での山留の設置を省略できると共に、貯水部２０において所望の貯水量を確保しやすくなる。また、貯水部２０の施工後においても保持部２２による土圧の支持を維持でき、貯水部本体２１の状態を保持できることから、貯水部２０の耐久性を向上できる。
【００４５】
（構成−貯水システム−遮水部）
図１に戻り、次に、遮水部３０について説明する。遮水部３０は、第１貯水部２０ａ、第２貯水部２０ｂ、第３貯水部２０ｃ、及び第４貯水部２０ｄの少なくとも一部に貯められた雨水Ｒを遮水することにより、当該第１貯水部２０ａ、第２貯水部２０ｂ、第３貯水部２０ｃ、及び第４貯水部２０ｄの少なくとも一部の上方において貯水を可能とする遮水手段である。この遮水部３０は、例えば樹脂製の板状体（一例として、ポリプロピレン製の矩形状の板状体）にて形成されており、図１、図２に示すように、貯水領域１３において相互に間隔を隔てて前後方向に沿って複数並設されている。具体的には、第１貯水部２０ａ、第２貯水部２０ｂ、第３貯水部２０ｃ、及び第４貯水部２０ｄの各々の前面を略覆うように設けられており、隣接する貯水部２０によって挟持されることで固定され、又は固定具等によって貯水部２０（具体的には、保持部２２）に対して固定されている。なお、以下では、必要に応じて、遮水部３０のうち、第１貯水部２０ａの前面を覆う遮水部３１を「第１遮水部３１」と称し、第２貯水部２０ｂの前面を覆う遮水部３２を「第２遮水部３２」と称し、第３貯水部２０ｃの前面を覆う遮水部３３を「第３遮水部３３」と称し、第４貯水部２０ｄの前面を覆う遮水部３４を「第４遮水部３４」と称する。
【００４６】
（構成−貯水システム−縁石部）
図１に戻り、次に、縁石部４０について説明する。縁石部４０は、人や車が貯水領域１３に転落することを防止するためのものである。この縁石部４０は、例えば公知の縁石（一例として、コンクリート製の直方体状の縁石）を用いて構成されており、図１に示すように、貯水領域１３における第１道路領域１１側の端部及び第２道路領域１２側の端部において、前後方向に沿って複数並設されており、具体的には、各種の貯水部２０よりも上方に突出するように設けられている。また、この縁石部４０には、図示しない流入孔が設けられている。流入孔は、第１道路領域１１又は第２道路領域１２の地表に溜まった雨水Ｒを貯水領域１３に流入させるための貫通孔であり、縁石部４０の部分のうち、第１道路領域１１（又は第２道路領域１２）の地表よりも上方部分に少なくとも１つ以上形成されている。
【００４７】
（構成−貯水システム−貯水構造）
図２に戻り、次に、貯水システム１の貯水構造について説明する。貯水システム１において、地盤１０の地表面にある雨水Ｒを一時的に貯水するための貯水構造の特徴については、実施の形態１では、以下に示す通りとなる。
【００４８】
（構成−貯水システム−貯水構造−第１の特徴）
まず、貯水システム１の第１の特徴については、第１遮水部３１、第２遮水部３２、第３遮水部３３、及び第４遮水部３４の各々にて遮水される水量（以下、「遮水量」と称する）が所定量未満である場合には、当該遮水部３０によって遮水された雨水Ｒを当該遮水部３０よりも下方に位置する貯水部２０に向けて流出させず、遮水量が所定量以上に達した場合には、当該遮水部３０によって遮水された雨水Ｒを当該遮水部３０よりも下方に位置する貯水部２０に向けて流出させるように、第１貯水部２０ａ、第２貯水部２０ｂ、第３貯水部２０ｃ、及び第４貯水部２０ｄ、並びに第１遮水部３１、第２遮水部３２、第３遮水部３３、及び第４遮水部３４が構成されている。ここで、「流出させる」とは、実施の形態１では、少なくとも遮水部３０の上端部を越えて流れることを意味する。
【００４９】
具体的には、図２に示すように、第１遮水部３１の遮水量が所定量以上に達した場合に、第１遮水部３１によって遮水された雨水Ｒを第２貯水部２０ｂに向けて流出させ、第２遮水部３２の遮水量が所定量以上に達した場合に、第２遮水部３２によって遮水された雨水Ｒを第３貯水部２０ｃに向けて流出させ、第３遮水部３３の遮水量が所定量以上に達した場合に、第３遮水部３３によって遮水された雨水Ｒを第４貯水部２０ｄに向けて流出させ、第４遮水部３４の遮水量が所定量以上に達した場合に、第４遮水部３４によって遮水された雨水Ｒを前方に設けられた図示しない浸透桝（又はオーバフロー管）に向けて流出させるように、構成されている。
【００５０】
より具体的には、第１貯水部２０ａ、第２貯水部２０ｂ、第３貯水部２０ｃ、及び第４貯水部２０ｄの構成（具体的には、設置方法）については、図２に示すように、第１貯水部２０ａ、第２貯水部２０ｂ、第３貯水部２０ｃ、及び第４貯水部２０ｄの各々の上面が第１貯水部２０ａから第４貯水部２０ｄの順に高い位置となり、且つ第１貯水部２０ａ、第２貯水部２０ｂ、第３貯水部２０ｃ、及び第４貯水部２０ｄの各々の下面が第１貯水部２０ａから第４貯水部２０ｄの順に高い位置となるように、それぞれ設置している。また、図３に示すように、第１貯水部２０ａ、第２貯水部２０ｂ、第３貯水部２０ｃ、及び第４貯水部２０ｄの各々の左面が第１道路領域１１の難透水層１０ａと当接し、且つ第１貯水部２０ａ、第２貯水部２０ｂ、第３貯水部２０ｃ、及び第４貯水部２０ｄの各々の右面が第２道路領域１２の難透水層１０ａと当接するように、それぞれ設置している。
【００５１】
また、第１遮水部３１、第２遮水部３２、第３遮水部３３、及び第４遮水部３４の構成については、第１遮水部３１、第２遮水部３２、第３遮水部３３、及び第４遮水部３４の各々において所定量の雨水Ｒを遮水することが可能となるように構成している。すなわち、第１遮水部３１、第２遮水部３２、第３遮水部３３、及び第４遮水部３４の各々の幅（左右方向の長さ）については、当該遮水部３０によって前面が覆われる貯水部２０の左右方向の長さと略同一に設定している。また、第１遮水部３１、第２遮水部３２、第３遮水部３３、及び第４遮水部３４の各々の高さ（上下方向の長さ）については、当該遮水部３０によって前面が覆われる貯水部２０の下端部から当該貯水部２０に対応する縁石部４０の上端部Ｌに至る長さと略同一に設定している。また、第１遮水部３１、第２遮水部３２、第３遮水部３３、及び第４遮水部３４の各々の厚さ（前後方向の長さ）については、所望の耐圧力を得ることが可能な厚さに設定している。また、第１貯水部２０ａ、第２貯水部２０ｂ、第３貯水部２０ｃ、及び第４貯水部２０ｄの設置方法については、第１貯水部２０ａ、第２貯水部２０ｂ、第３貯水部２０ｃ、及び第４貯水部２０ｄの各々の前面全体を覆い、且つ当該前面の上端部よりも上方に突出するようにそれぞれ設けている（図２では、それぞれ若干前方に傾斜するように設けている）。
【００５２】
このような第１の特徴により、第１貯水部２０ａ、第２貯水部２０ｂ、第３貯水部２０ｃ、及び第４貯水部２０ｄによって雨水Ｒを貯めることができることに加えて、第１遮水部３１、第２遮水部３２、第３遮水部３３、及び第４遮水部３４によって遮水された雨水Ｒも貯めることができ、従来技術（透水浄化地盤を単に複数設けた技術）に比べて、貯水システム１の貯水量を増大させることが可能となる。また、第１遮水部３１、第２遮水部３２、第３遮水部３３、及び第４遮水部３４によって遮水された雨水Ｒの一部を外部から視認でき、貯水システム１の貯水状況を把握しやすくなる。
【００５３】
（構成−貯水システム−貯水構造−第２の特徴）
図２に戻り、次に、貯水システム１の第２の特徴については、第１貯水部２０ａ、第２貯水部２０ｂ、第３貯水部２０ｃ、及び第４貯水部２０ｄの少なくとも一部にて貯められた雨水Ｒを地中に透過させることができるように、第１貯水部２０ａ、第２貯水部２０ｂ、第３貯水部２０ｃ、及び第４貯水部２０ｄが構成されている。
【００５４】
具体的には、図２、図３に示すように、上述したように、第１貯水部２０ａ、第２貯水部２０ｂ、第３貯水部２０ｃ、及び第４貯水部２０ｄの各々は、透水性を有する貯水部本体２１及び保持部２２を備えている。また、第１貯水部２０ａ、第２貯水部２０ｂ、第３貯水部２０ｃ、及び第４貯水部２０ｄの各々の下面に遮水シートが設けられることなく、これら下面と貯水領域１３の透水層１０ｂとが直接当接するように、第１貯水部２０ａ、第２貯水部２０ｂ、第３貯水部２０ｃ、及び第４貯水部２０ｄは配置されている。
【００５５】
このような第２の特徴により、第１貯水部２０ａ、第２貯水部２０ｂ、第３貯水部２０ｃ、及び第４貯水部２０ｄの少なくとも一部にて貯められた雨水Ｒを地中に透過させることができ、例えば豪雨時のピークカットを効果的に行うことが可能となる。
【００５６】
（貯水システムの作用について）
図２に戻り、次に、このように構成された貯水システム１の作用について説明する。
【００５７】
例えば、雨が降ると、貯水領域１３に溜まった雨水Ｒ、及び第１道路領域１１又は第２道路領域１２の地表に溜まった雨水Ｒであって縁石部４０の流入孔を介して流入された雨水Ｒは、第１貯水部２０ａ、第２貯水部２０ｂ、第３貯水部２０ｃ、又は第４貯水部２０ｄの内部に貯められ、あるいは、第１貯水部２０ａ等の内部への貯水に加えて、第１遮水部３１、第２遮水部３２、第３遮水部３３、又は第４遮水部３４によって、これら貯水部２０の少なくともいずれか１つの上方に貯められる。この場合において、第１遮水部３１、第２遮水部３２、第３遮水部３３、又は第４遮水部３４の遮水量が所定量未満である場合には、当該所定量未満である遮水部３０にて遮水された雨水Ｒは、当該遮水部３０よりも下方に位置する貯水部２０等に向けて流出されずに、当該遮水部３０によって前面が覆われた貯水部２０に一時的に貯められた後、貯水領域１３の透水層１０ｂに浸透する。一方で、第１遮水部３１、第２遮水部３２、第３遮水部３３、又は第４遮水部３４の遮水量が所定量以上に達した場合には、図２に示すように、当該所定量以上に達した遮水部３０にて遮水された雨水Ｒの一部（具体的には、遮水部３０にて遮水されきれなかった量の雨水Ｒ）は、当該遮水部３０よりも下方に位置する貯水部２０等に向けて流出される。なお、上記所定量以上に達した遮水部３０にて遮水された雨水Ｒの他の一部は、当該遮水部３０によって前面が覆われた貯水部２０に一時的に貯められた後、貯水領域１３の透水層１０ｂに浸透する。
【００５８】
（貯水システムの施工方法）
続いて、貯水システム１の施工方法について説明する。実施の形態１に係る貯水システム１の施工方法は、形成工程、第１設置工程、第１敷設工程、第２設置工程、第２敷設工程、及び植栽工程を含んでいる。
【００５９】
（貯水システムの施工方法−形成工程）
まず、形成工程について説明する。形成工程は、第１貯水領域１３ａ、第２貯水領域１３ｂ、第３貯水領域１３ｃ、及び第４貯水領域１３ｄの各々に凹部１４を形成する工程である。具体的には、公知の掘削器具等を用いて、第１貯水領域１３ａ、第２貯水領域１３ｂ、第３貯水領域１３ｃ、及び第４貯水領域１３ｄの各々を掘削することにより、形成する。
【００６０】
（貯水システムの施工方法−第１設置工程）
次に、第１設置工程について説明する。第１設置工程は、形成工程の後に、形成工程にて形成された各凹部１４（すなわち、第１貯水領域１３ａ、第２貯水領域１３ｂ、第３貯水領域１３ｃ、及び第４貯水領域１３ｄの各々の凹部１４）に、保持部２２及び遮水部３０を設置する工程である。具体的には、上記各凹部１４の底部分と保持部２２の下面とが当接するように、保持部２２を設置する。また、上記各凹部１４において、保持部２２の前面が遮水部３０によって覆われるように、遮水部３０を設置する。
【００６１】
（貯水システムの施工方法−第１敷設工程）
次に、第１敷設工程について説明する。第１敷設工程は、第１設置工程の後に、上記各凹部１４に、貯水部本体２１の下部層２１ａ及び中間層２１ｂを敷設する工程である。具体的には、まず、所定量の砂利等を上記各凹部１４に投入し、その後公知のならし器具を用いて当該投入した砂利等をならした後に転圧することにより、下部層２１ａを敷設する。次に、所定量の砂や植栽基盤としての土壌等を上記各凹部１４にさらに投入し、次いで転圧器具を用いて当該投入した砂等を締め固め、その後公知のならし器具を用いて当該締め固めた砂等の表面をならすことにより、中間層２１ｂを敷設する。
【００６２】
（貯水システムの施工方法−第２設置工程）
次いで、第２設置工程について説明する。第２設置工程は、第１敷設工程の後に、縁石部４０を設置する工程である。具体的には、上記各凹部１４において、第１敷設工程にて敷設された中間層２１ｂの上面の左端部及び右端部に縁石部４０をそれぞれ載置することにより、設置する。
【００６３】
（貯水システムの施工方法−第２敷設工程）
次に、第２敷設工程について説明する。第２敷設工程は、第２設置工程の後に、貯水部本体２１の上部層２１ｃ及び植物保護材２１ｄを敷設する工程である。具体的には、まず、上記各凹部１４において、第１敷設工程にて敷設された中間層２１ｂの上面の縁石部４０に対応しない部分に所定量の土壌等を投入することにより、上部層２１ｃを敷設する。次に、上記各凹部１４において、上記敷設された上部層２１ｃの上面全体が植物保護材２１ｄによって覆われるように、植物保護材２１ｄを敷設する。
【００６４】
（貯水システムの施工方法−植栽工程）
続いて、植栽工程について説明する。植栽工程は、第２敷設工程の後に、植物Ｐを植栽する工程である。具体的には、上記各凹部１４において、第２敷設工程にて敷設された上部層２１ｃに植物Ｐを植栽する。これにて、貯水システム１の施工が終了する。
【００６５】
以上のような施工方法により、第１敷設工程及び第２敷設工程よりも第１設置工程を先行して行うので、貯水部２０の施工中において保持部２２にて土圧を支持でき、周辺地盤の変位を抑止できる。よって、貯水部本体２１の設置スペースを確保しやすくなることから、例えば、貯水部２０周辺での山留の設置を省略できると共に、貯水部２０において所望の貯水量を確保しやすくなる。
【００６６】
（実施の形態１の効果）
このように実施の形態１によれば、地中に埋設された複数の貯水部２０であって、当該複数の貯水部２０の少なくとも一部が他の貯水部２０に対して異なる高さ位置に配置された複数の貯水部２０と、複数の貯水部２０の少なくとも一部に貯められた雨水Ｒを遮水することにより、当該複数の貯水部２０の少なくとも一部の上方において貯水を可能とする遮水部３０と、を備え、遮水量が所定量未満である場合には、遮水部３０によって遮水された雨水Ｒを当該遮水部３０よりも下方に位置する貯水部２０に向けて流出させず、遮水量が所定量以上に達した場合には、遮水部３０によって遮水された雨水Ｒを当該遮水部３０よりも下方に位置する貯水部２０に向けて流出させるように、複数の貯水部２０及び遮水部３０を構成したので、複数の貯水部２０によって雨水Ｒを貯めることができることに加えて、遮水部３０によって遮水された雨水Ｒも貯めることができ、従来技術（浸透水浄化地盤を単に複数設けた技術）に比べて、貯水システム１の貯水量を増大させることが可能となる。また、遮水部３０によって遮水された雨水Ｒの一部を外部から視認でき、貯水システム１の貯水状況を把握しやすくなる。
【００６７】
また、複数の貯水部２０の各々が、貯水機能を有する貯水部本体２１と、貯水部本体２１の周囲の少なくとも一部を覆うように設けられた保持部２２であって、透水性を有し、且つ貯水部本体２１の状態を保持することが可能な保持部２２と、を備えるので、例えば、貯水部２０の施工中において保持部２２を貯水部本体２１よりも先行して設置することにより、保持部２２にて土圧を支持でき、周辺地盤の変位を抑止できる。よって、貯水部本体２１の設置スペースを確保しやすくなることから、貯水部２０周辺での山留の設置を省略できると共に、貯水部２０において所望の貯水量を確保しやすくなる。また、貯水部２０の施工後においても保持部２２による土圧の支持を維持でき、貯水部本体２１の状態を保持できることから、貯水部の耐久性を向上できる。
【００６８】
また、保持部２２を金属製のメッシュ材で形成したので、保持部２２を比較的安価に製造でき、貯水部２０の製造性を向上できる。また、保持部２２の軽量化を図ることができ、貯水部２０の施工時における保持部２２の取り扱いが容易となる。
【００６９】
また、保持部２２を外部に露出しないように構成したので、保持部２２が目立つことを回避でき、貯水部２０の意匠性を維持できる。
【００７０】
また、複数の貯水部２０の少なくとも一部にて貯められた雨水Ｒを地中に透過させることができるように、複数の貯水部２０を構成したので、複数の貯水部２０の少なくとも一部にて貯められた雨水Ｒを地中に透過させることができ、例えば豪雨時のピークカットを効果的に行うことが可能となる。
【００７１】
〔実施の形態２〕
次に、実施の形態２に係る貯水システムについて説明する。この実施の形態２は、保持部をコンクリート材料で形成した形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７２】
（構成−設置場所）
最初に、実施の形態２に係る貯水システム１００が設置される設置場所の構成について説明する。実施の形態２に係る貯水システム１００が設置される地盤１０は、実施の形態１に係る地盤１０と同一に構成されている。また、実施の形態２に係る地盤１０の領域は、実施の形態１に係る地盤１０と同一に区分されている。
【００７３】
（構成−貯水システム）
次に、実施の形態２に係る貯水システム１００の構成について説明する。実施の形態２に係る貯水システム１００は、実施の形態１に係る貯水システム１と同様に、第１貯水部２０ａ、第２貯水部２０ｂ、第３貯水部２０ｃ、第４貯水部２０ｄ、及び遮水部３０を備えている。なお、この遮水部３０は、実施の形態１に係る遮水部３０と略同一に構成されているので、その詳細な説明を省略する。
【００７４】
（構成−貯水システム−第１貯水部、第２貯水部、第３貯水部、第４貯水部）
図５は、実施の形態２に係る貯水システム１００を示す図であって、図３に対応する領域を示す図である（一部図示省略）。第１貯水部２０ａ、第２貯水部２０ｂ、第３貯水部２０ｃ、及び第４貯水部２０ｄについて説明する。これら第１貯水部２０ａ、第２貯水部２０ｂ、第３貯水部２０ｃ、及び第４貯水部２０ｄの各々は、図５に示すように、貯水部本体２１及び保持部２２を備えている。なお、これら第１貯水部２０ａ、第２貯水部２０ｂ、第３貯水部２０ｃ、及び第４貯水部２０ｄの構成はそれぞれ略同一であるので、以下では、第１貯水部２０ａの貯水部本体２１及び保持部２２の構成のみについて説明する。
【００７５】
（構成−貯水システム−第１貯水部、第２貯水部、第３貯水部、第４貯水部−貯水部本体）
貯水部本体２１は、第１貯水領域１３ａに埋設されており、具体的には、図５に示すように、第１貯水領域１３ａを掘削して形成された凹部１４の内部に収容されている。また、この貯水部本体２１は、下部層２１ａ及び上部層２１ｃを備えている。このうち、下部層２１ａは、実施の形態１に係る下部層２１ａと略同一に構成されており、図５に示すように、凹部１４の内部の下方側に敷設されている。また、上部層２１ｃは、例えば下部層２１ａの砂利等の径よりも小さい径を有する砂、砂利、又は土壌（一例として、礫等を含む自然土壌等）を用いて構成されており、図５に示すように、凹部１４の内部において下部層２１ａよりも上方に敷設されている。
【００７６】
（構成−貯水システム−第１貯水部、第２貯水部、第３貯水部、第４貯水部−保持部）
保持部２２は、Ｘ−Ｚ平面に沿った断面形状が逆Ｔ字状となる長尺状体にて形成されている。具体的には、保持部本体２２ａの左右方向の長さについては、貯水部本体２１の左右方向の長さよりも短く設定しており、保持部本体２２ａの前後方向の長さについては、貯水部本体２１の前後方向の長さと略同一に設定しており、保持部本体２２ａの上下方向の長さについては、貯水部本体２１の上下方向の長さと略同一（又は若干長く）設定している。
【００７７】
また、この保持部２２は、当該保持部２２の長手方向が前後方向に沿うように設けられていると共に、貯水部本体２１の左面及び右面を覆うように、相互に間隔を隔てて左右方向に沿って一対並設されている。具体的には、図５に示すように、一対の保持部２２の一方は、当該保持部２２における逆Ｔ字状の縦棒部分によって貯水部本体２１の上部層２１ｃの左面全体が覆われ、且つ当該保持部２２における逆Ｔ字状の横棒部分の一部が貯水部本体２１の下部層２１ａに挿入されるように配置されている（より具体的には、当該保持部２２の上端部が凹部１４の上端部よりも上方に位置するように配置されている）。また、一対の保持部２２の他方は、当該保持部２２における逆Ｔ字状の縦棒部分によって貯水部本体２１の上部層２１ｃの右面全体が覆われ、且つ当該保持部２２における逆Ｔ字状の横棒部分の一部が貯水部本体２１の下部層２１ａに挿入されるように配置されている（より具体的には、当該保持部２２の上端部が凹部１４の上端部よりも上方に位置するように配置されている）。
【００７８】
また、この保持部２２の上方部分には、図示しない流入孔が設けられており、この流入孔は、実施の形態１に係る縁石部４０の流入孔と略同一に構成されている。
【００７９】
また、保持部２２の材質については任意であるが、実施の形態２では、コンクリート材料で形成している。このような材質により、保持部２２を比較的強固に形成でき、貯水部２０の耐久性を向上できる。
【００８０】
以上のような貯水システム１００により、実施の形態１に係る貯水システム１と同様に、第１貯水部２０ａ、第２貯水部２０ｂ、第３貯水部２０ｃ、及び第４貯水部２０ｄによって雨水Ｒを貯めることができることに加えて、第１遮水部３１、第２遮水部３２、第３遮水部３３、及び第４遮水部３４によって遮水された雨水Ｒも貯めることができ、従来技術（透水浄化地盤を単に複数設けた技術）に比べて、貯水システム１００の貯水量を増大させることが可能となる。また、第１遮水部３１、第２遮水部３２、第３遮水部３３、及び第４遮水部３４によって遮水された雨水Ｒの一部を外部から視認でき、貯水システム１００の貯水状況を把握しやすくなる。
【００８１】
（実施の形態２の効果）
このように実施の形態２によれば、保持部２２をコンクリート材料で形成したので、保持部２２を比較的強固に形成でき、貯水部２０の耐久性を向上できる。
【００８２】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８５】
（設置場所について）
上記実施の形態１では、貯水システム１が設置される地盤１０が、傾斜地盤であると説明したが、これに限らない。図６は、実施の形態１に係る貯水システム１の変形例を示す図であって、図２に対応する領域を示す図である。例えば、図６に示すように、複数の段差面を有する地盤であってもよい（なお、実施の形態２に係る地盤１０についても同様とする）。
【００８６】
（貯水部について）
上記実施の形態１、２では、貯水部２０の設置数が４つであると説明したが、これに限らず、例えば、５つ以上であってもよく、あるいは、２つのみ又は３つのみであってもよい。この場合には、例えば、貯水部２０の設置数に応じて遮水部３０の設置数を設定してもよい。
【００８７】
上記実施の形態１、２では、複数の貯水部２０が異なる高さ位置に配置されていると説明したが、これに限らず、例えば、異なる高さ位置に加えて同一の高さ位置に配置されてもよい。一例として、複数の貯水部２０は、前後方向に沿って並設して配置されることに加えて、左右方向に沿って複数並設して配置されてもよい。この場合には、遮水部３０は、異なる高さ位置及び同一の高さ位置に配置された複数の貯水部２０の各々の前面を覆うように配置されてもよい。
【００８８】
また、上記実施の形態１、２では、第１貯水部２０ａ、第２貯水部２０ｂ、第３貯水部２０ｃ、第４貯水部２０ｄの各々が、保持部２２を備えていると説明したが、これに限らず、例えば保持部２２を省略してもよい。
【００８９】
また、上記実施の形態１では、第１貯水部２０ａ、第２貯水部２０ｂ、第３貯水部２０ｃ、第４貯水部２０ｄの各々が、貯水部本体２１及び保持部２２を備えていると説明したが、これに限らない。図７は、実施の形態１に係る貯水部２０の変形例を示す図であって、図３に対応する領域を示す図である。例えば、図７に示すように、貯水部本体２１及び保持部２２に加えて、貯水部本体２１と凹部１４の底部分との相互に設けられた貯水空間部２３であって、雨水Ｒを貯水するための貯水空間部２３を備えてもよい（なお、実施の形態２に係る貯水部２０についても同様とする）。これにより、貯水空間部２３にさらに貯水することができるので、例えば、貯水領域１３の面積が十分確保しづらい地域（例えば、市街地等）に貯水システム１を設ける場合でも貯水量を増大させることができる。
【００９０】
また、上記実施の形態１では、第１貯水部２０ａ、第２貯水部２０ｂ、第３貯水部２０ｃ、第４貯水部２０ｄの各々が、補強部２２ｂを備えていると説明したが、これに限らず、例えば、補強部２２ｂを省略してもよい。
【００９１】
また、上記実施の形態１では、貯水部本体２１及び保持部２２を単に地中に埋設することにより、貯水部２０が設置されていると説明したが、これに限らない。例えば、道路際や建物際等で既存の配管等がある場合には、貯水部２０は、既存の配管を避けるように設置されることが好ましい。一例として、貯水部本体２１と、少なくとも一部に曲げ加工又は切断加工等が施された保持部２２とを地中に埋設することにより、貯水部２０は設置されてもよい。
【００９２】
（貯水部本体について）
上記実施の形態１では、貯水部本体２１が、植物Ｐを植栽できるように構成されていると説明したが、これに限らず、例えば、植物Ｐを植栽できないよう構成されてもよい。一例として、砕石又は土嚢等を用いて構成された土層部と、土層部の上面を覆うように設けられたカバー部であって、不織布又は人工芝等を用いて構成されたカバー部とを備えてもよい。この場合には、施工方法において、植栽工程を省略できる。
【００９３】
（保持部について）
上記実施の形態１では、保持部２２が、上面が開放された箱状体にて形成されていると説明したが、これに限らない。例えば、歩行者が貯水領域１３を歩行することを許容する場合には、上面が閉鎖された箱状体にて形成されてもよい。
【００９４】
また、上記実施の形態１では、保持部２２の平面形状が長方形状であると説明したが、これに限らず、例えば、長方形状以外の他の多角形状（一例として、三角形、六角形等）、円形状、又は楕円形状であってよく、あるいは、これらを組み合わせた形状であってもよい。
【００９５】
また、上記実施の形態１では、保持部２２が、第１貯水部２０ａ、第２貯水部２０ｂ、第３貯水部２０ｃ、及び第４貯水部２０ｄの各々の下部層２１ａ、中間層２１ｂ、及び上部層２１ｃを収容するように設置されていると説明したが、これに限らない。例えば、第１貯水部２０ａ、第２貯水部２０ｂ、第３貯水部２０ｃ、及び第４貯水部２０ｄの各々の中間層２１ｂ及び上部層２１ｃのみを収容するように設置されてもよい。
【００９６】
また、上記実施の形態２では、Ｘ−Ｚ平面に沿った断面形状が逆Ｔ字状ある保持部２２が、一対並設されていると説明したが、これに限らない。図８は、実施の形態２に係る貯水部２０の変形例を示す図であって、図３に対応する領域を示す図である。図９は、実施の形態２に係る保持部２２の変形例を示す斜視図である。例えば、図８、図９に示すように、上面が開放された箱状体にて形成された保持部２２が設けられてもよい。この場合において、保持部２２の具体的な構成については任意であるが、例えば、上面以外の側面に比較的大きな貫通孔２２ｃを設けることにより、透水性を確保しながら、保持部２２の軽量化を図ることができる。
【００９７】
（遮水部について）
上記実施の形態１、２では、遮水部３０の設置数が４つであると説明したが、これに限らず、例えば、１つのみ、２つのみ、又は、３つのみであってもよい。
【００９８】
また、上記実施の形態１、２では、遮水部３０の材質が樹脂材で形成されていると説明したが、これに限らず、例えば、金属材料（一例として、防錆処理された鋼材等）、木材であってもよい。
【００９９】
また、上記実施の形態１、２では、遮水部３０が、板状体であると説明したが、これに限らず、例えば、ブロック状体であってもよい。
【０１００】
また、上記実施の形態１では、遮水部３０が、第１貯水部２０ａ、第２貯水部２０ｂ、第３貯水部２０ｃ、及び第４貯水部２０ｄの各々の前面全体を略覆うように配置されていると説明したが、これに限らない。例えば、第１貯水部２０ａ、第２貯水部２０ｂ、第３貯水部２０ｃ、及び第４貯水部２０ｄの各々の前面の一部（一例として、上記前面のうち貯水部本体２１の中間層２１ｂ及び上部層２１ｃに対応する部分）のみを覆うように配置されてもよい。
【０１０１】
（貯水構造について）
上記実施の形態１では、第１貯水部２０ａ、第２貯水部２０ｂ、第３貯水部２０ｃ、及び第４貯水部２０ｄの少なくとも一部にて貯められた雨水Ｒを地中に透過させることができるように、第１貯水部２０ａ、第２貯水部２０ｂ、第３貯水部２０ｃ、及び第４貯水部２０ｄが構成されていると説明したが、これに限らない。図１０は、実施の形態１に係る貯水システム１の変形例を示す図であって、図２に対応する領域を示す図である。例えば、図１０に示すように、第１貯水部２０ａ、第２貯水部２０ｂ、第３貯水部２０ｃ、及び第４貯水部２０ｄの少なくとも一部にて貯められた雨水Ｒを地中に透過させることができないように、第１貯水部２０ａ、第２貯水部２０ｂ、第３貯水部２０ｃ、及び第４貯水部２０ｄが構成されてもよい。一例として、第１貯水部２０ａ、第２貯水部２０ｂ、第３貯水部２０ｃ、及び第４貯水部２０ｄの各々の下面には遮水シート２４が設けられ、これら下面と貯水領域１３の透水層１０ｂとが遮水シート２４を介して当接するように、第１貯水部２０ａ、第２貯水部２０ｂ、第３貯水部２０ｃ、及び第４貯水部２０ｄは配置されてもよい。また、この場合には、図１０に示すように、貯水システム１が、第１貯水部２０ａ、第２貯水部２０ｂ、第３貯水部２０ｃ、及び第４貯水部２０ｄの少なくとも一部に設けられた送水管２５であって、第１貯水部２０ａ、第２貯水部２０ｂ、第３貯水部２０ｃ、及び第４貯水部２０ｄの少なくとも一部に貯められた雨水Ｒを所定領域（一例として、雨水貯留槽等の雨水利用設備）に送るための送水管２５（一例として、公知のメッシュ状の送水管）を備える。このような構成により、第１貯水部２０ａ、第２貯水部２０ｂ、第３貯水部２０ｃ、及び第４貯水部２０ｄの少なくとも一部に貯められた雨水Ｒを送水管２５を介して所定領域に効率的に送ることができ、例えば所定領域において雨水Ｒの利用を図ることができる。
【０１０２】
（付記）
付記１の貯水システムは、雨水を一時的に貯水するための貯水システムであって、地中に埋設された複数の貯水手段であって、当該複数の貯水手段の少なくとも一部が他の貯水手段に対して異なる高さ位置に配置された複数の貯水手段と、前記複数の貯水手段の少なくとも一部に貯められた前記雨水を遮水することにより、当該複数の貯水手段の少なくとも一部の上方において貯水を可能とする遮水手段と、を備え、前記遮水手段にて遮水される水量である遮水量が所定量未満である場合には、前記遮水手段によって遮水された前記雨水を当該遮水手段よりも下方に位置する前記貯水手段に向けて流出させず、前記遮水量が所定量以上に達した場合には、前記遮水手段によって遮水された前記雨水を当該遮水手段よりも下方に位置する前記貯水手段に向けて流出させるように、前記複数の貯水手段及び前記遮水手段を構成した。
【０１０３】
付記２の貯水システムは、付記１に記載の貯水システムにおいて、前記複数の貯水手段の各々は、貯水機能を有する貯水手段本体と、前記貯水手段本体の周囲の少なくとも一部を覆うように設けられた保持手段であって、透水性を有し、且つ前記貯水手段本体の状態を保持することが可能な保持手段と、を備える。
【０１０４】
付記３の貯水システムは、付記２に記載の貯水システムにおいて、前記保持手段を、金属製のメッシュ材で形成した。
【０１０５】
付記４の貯水システムは、付記２に記載の貯水システムにおいて、前記保持手段を、コンクリート材料で形成した。
【０１０６】
付記５の貯水システムは、付記２から４のいずれか一項に記載の貯水システムにおいて、前記保持手段を、外部に露出しないように構成した。
【０１０７】
付記６の貯水システムは、付記１から５のいずれか一項に記載の貯水システムにおいて、前記複数の貯水手段の少なくとも一部にて貯められた前記雨水を地中に透過させることができるように、前記複数の貯水手段を構成した。
【０１０８】
付記７の貯水システムは、付記１から５のいずれか一項に記載の貯水システムにおいて、前記複数の貯水手段の少なくとも一部にて貯められた前記雨水を地中に透過させることができないように、前記複数の貯水手段を構成し、前記複数の貯水手段の少なくとも一部に設けられた送水管であって、当該複数の貯水手段の少なくとも一部に貯められた前記雨水を所定領域に送るための送水管を備えた。
【０１０９】
（付記の効果）
付記１に記載の貯水システムによれば、地中に埋設された複数の貯水手段であって、当該複数の貯水手段の少なくとも一部が他の貯水手段に対して異なる高さ位置に配置された複数の貯水手段と、複数の貯水手段の少なくとも一部に貯められた雨水を遮水することにより、当該複数の貯水手段の少なくとも一部の上方において貯水を可能とする遮水手段と、を備え、遮水量が所定量未満である場合には、遮水手段によって遮水された雨水を当該遮水手段よりも下方に位置する貯水手段に向けて流出させず、遮水量が所定量以上に達した場合には、遮水手段によって遮水された雨水を当該遮水手段よりも下方に位置する貯水手段に向けて流出させるように、複数の貯水手段及び遮水手段を構成したので、複数の貯水手段によって雨水を貯めることができることに加えて、遮水手段によって遮水された雨水も貯めることができ、従来技術（透水浄化地盤を単に複数設けた技術）に比べて、貯水システムの貯水量を増大させることが可能となる。また、遮水手段によって遮水された雨水の一部を外部から視認でき、貯水システムの貯水状況を把握しやすくなる。
【０１１０】
付記２に記載の貯水システムによれば、複数の貯水手段の各々が、貯水機能を有する貯水手段本体と、貯水手段本体の周囲の少なくとも一部を覆うように設けられた保持手段であって、透水性を有し、且つ貯水手段本体の状態を保持することが可能な保持手段と、を備えるので、例えば、貯水手段の施工中において保持手段を貯水手段本体よりも先行して設置することにより、保持手段にて土圧を支持でき、周辺地盤の変位を抑止できる。よって、貯水手段本体の設置スペースを確保しやすくなることから、貯水手段周辺での山留の設置を省略できると共に、貯水手段において所望の貯水量を確保しやすくなる。また、貯水手段の施工後においても保持手段による土圧の支持を維持でき、貯水手段本体の状態を保持できることから、貯水手段の耐久性を向上できる。
【０１１１】
付記３に記載の貯水システムによれば、保持手段を金属製のメッシュ材で形成したので、保持手段を比較的安価に製造でき、貯水手段の製造性を向上できる。また、保持手段の軽量化を図ることができ、貯水手段の施工時における保持手段の取り扱いが容易となる。
【０１１２】
付記４に記載の貯水システムによれば、保持手段をコンクリート材料で形成したので、保持手段を比較的強固に形成でき、貯水手段の耐久性を一層向上できる。
【０１１３】
付記５に記載の貯水システムによれば、保持手段を外部に露出しないように構成したので、保持手段が目立つことを回避でき、貯水手段の意匠性を維持できる。
【０１１４】
付記６に記載の貯水システムによれば、複数の貯水手段の少なくとも一部にて貯められた雨水を地中に透過させることができるように、複数の貯水手段を構成したので、複数の貯水手段の少なくとも一部にて貯められた雨水を地中に透過させることができ、例えば豪雨時のピークカットを効果的に行うことが可能となる。
【０１１５】
付記７に記載の貯水システムによれば、複数の貯水手段の少なくとも一部にて貯められた雨水を地中に透過させることができないように、複数の貯水手段を構成し、複数の貯水手段の少なくとも一部に設けられた送水管であって、当該複数の貯水手段の少なくとも一部に貯められた雨水を所定領域に送るための送水管を備えたので、複数の貯水手段の少なくとも一部にて貯められた雨水を送水管を介して所定領域に効率的に送ることができ、例えば所定領域において雨水の利用を図ることができる。
【符号の説明】
【０１１６】
１  貯水システム
１０  地盤
１０ａ  難透水層
１０ｂ  透水層
１１  第１道路領域
１１ａ  道路
１２  第２道路領域
１３  貯水領域
１３ａ  第１貯水領域
１３ｂ  第２貯水領域
１３ｃ  第３貯水領域
１３ｄ  第４貯水領域
１４  凹部
２０  貯水部
２０ａ  第１貯水部
２０ｂ  第２貯水部
２０ｃ  第３貯水部
２０ｄ  第４貯水部
２１  貯水部本体
２１ａ  下部層
２１ｂ  中間層
２１ｂ１  砂層
２１ｂ２  混合層
２１ｃ  上部層
２１ｄ  植物保護材
２２  保持部
２２ａ  保持部本体
２２ｂ  補強部
２２ｃ  貫通孔
２３  貯水空間部
２４  遮水シート
２５  送水管
３０  遮水部
３１  第１遮水部
３２  第２遮水部
３３  第３遮水部
３４  第４遮水部
４０  縁石部
１００  貯水システム
Ｌ  縁石部の上端部
Ｐ  植物
Ｒ  雨水
【図１】
2020045622.tif 000003
【図２】
2020045622.tif 000004
【図３】
2020045622.tif 000005
【図４】
2020045622.tif 000006
【図５】
2020045622.tif 000007
【図６】
2020045622.tif 000008
【図７】
2020045622.tif 000009
【図８】
2020045622.tif 000010
【図９】
2020045622.tif 000011
【図１０】
2020045622.tif 000012